(57)【要約】      （修正有）【課題】ティッシュ箱収納部と小物雑貨収納部に隔てた収納ケースであり、この小物雑貨収納部のうち使用頻度が高い前方の収納部を横幅方向に区分けした複数の小口収納部とした収納ケースにおいて、個々の小口収納部の横幅方向の長さ幅を収納される小物雑貨に適する長さ幅に利用者が自由に変更できる収納ケースを提供する。【解決手段】小物雑貨収納部９を第一仕切り板１０で小物雑貨前方収納部１１と小物雑貨後方収納部１２に隔て、小物雑貨前方収納部を第二仕切り板１５で横幅方向Ｗに区分けした複数の小口収納部１６に隔てた。この第二仕切り板の両方の側縁部に縁取り面ファスナー１５ａを取り付け、この第二仕切り板を第一仕切り板と収納ケース本体２の前壁面部４の対向面に横幅方向に延ばして取り付けた受け面ファスナー１７の横幅方向Ｗの自由位置に縁取り面ファスナーを介して取り付け可能にした。【選択図】図１
0003232470.tif 000002
【実用新案登録請求の範囲】
【請求項１】
方形の底面部と、前壁面部と、後壁面部と、両側壁面部から成る上方が開口された収納ケース本体の内部を前後に隔てるティッシュ箱用仕切り板によって、該収納ケース本体の内部の前記後壁面部の側に直方体形状のティッシュ箱を該ティッシュ箱のティッシュ取り出し口が横向きにされた横置き姿勢に収容できるティッシュ箱収納部と、該収納ケース本体の内部の前記前壁面部の側に小物雑貨収納部を構成し、この小物雑貨収納部の内部を前後に隔てる第一仕切り板によって該小物雑貨収納部の内部を小物雑貨前方収納部と小物雑貨後方収納部に構成し、前記ティッシュ箱収納部にティッシュ取り出し口が横向きにされた横置き姿勢で収納されるティッシュ箱の横長のティッシュ取り出し口に対応する前記後壁面部の位置に横長のティッシュ取り出し口を形成し、前記ティッシュ箱収納部にティッシュ箱のティッシュ取り出し口を前記後壁面部に向けた横置き姿勢で収納したティッシュ箱のティッシュ取り出し口を介して前記後壁面部に形成されたティッシュ取り出し口からティッシュを取り出し可能にした収納ケースであって、前記第一仕切り板の両方の側縁部と前記ティッシュ箱用仕切り板の両方の側縁部に縁取り面ファスナーをそれぞれ取り付け、前記両側壁面部の対向面に受け面ファスナーを取り付け、この対向する受け面ファスナーの前後方向の所定位置に前記第一仕切り板の縁取り面ファスナー及び前記ティッシュ箱用仕切り板の縁取り面ファスナーを着脱自在に固着させることによって、前記第一仕切り板及び前記ティッシュ箱用仕切り板を前記前後壁面部と平行な取り付け姿勢で前記収納ケース本体の内部の前後方向の所定位置に取り付けた収納ケースであり、
前記小物雑貨前方収納部の内部を横幅方向と直交する仕切り面をもつ一つ又は複数の第二仕切り板で隔てることによって該小物雑貨前方収納部の内部を横幅方向に区分けされた複数の小口収納部に構成した収納ケースにおいて、前記第二仕切り板の両方の側縁部に縁取り面ファスナーを取り付け、前記前壁面部と第一仕切り板の対向面に横幅方向に延ばした受け面ファスナーをそれぞれ取り付け、この対向する受け面ファスナーの横幅方向の自由位置に前記第二仕切り板の縁取り面ファスナーを着脱自在に固着させることによって、前記第二仕切り板の仕切り面を前記両側壁面部と平行な取り付け姿勢で前記小物雑貨前方収納部内の横幅方向の自由位置に取り付け可能とし、前記第二仕切り板で隔てられた複数の前記小口収納部の個々の横幅方向の長さ幅を調節自在としたことを特徴とするティッシュ箱及び小物雑貨類の収納ケース。
【請求項２】
方形の底面部と、前壁面部と、この前壁面部より高さが高い後壁面部と、両側壁面部から成る上方が開口された収納ケース本体の内部を前後に隔てるティッシュ箱用仕切り板によって、該収納ケース本体の内部の前記後壁面部の側に直方体形状のティッシュ箱を該ティッシュ箱のティッシュ取り出し口が横向きにされた縦置き姿勢に収容できるティッシュ箱収納部と、該収納ケース本体の内部の前記前壁面部の側に小物雑貨収納部を構成し、この小物雑貨収納部の内部を前後に隔てる第一仕切り板によって該小物雑貨収納部の内部を小物雑貨前方収納部と小物雑貨後方収納部に構成し、前記ティッシュ箱収納部にティッシュ取り出し口が横向きにされた縦置き姿勢で収納されるティッシュ箱の縦長のティッシュ取り出し口に対応する前記後壁面部の位置に縦長のティッシュ取り出し口を形成し、前記ティッシュ箱収納部にティッシュ箱のティッシュ取り出し口を前記後壁面部に向けた縦置き姿勢で収納したティッシュ箱のティッシュ取り出し口を介して前記後壁面部に形成されたティッシュ取り出し口からティッシュを取り出し可能にした収納ケースであって、前記第一仕切り板の両方の側縁部と前記ティッシュ箱用仕切り板の両方の側縁部に縁取り面ファスナーをそれぞれ取り付け、前記両側壁面部の対向面に受け面ファスナーを取り付け、この対向する受け面ファスナーの前後方向の所定位置に前記第一仕切り板の縁取り面ファスナー及び前記ティッシュ箱用仕切り板の縁取り面ファスナーを着脱自在に固着させることによって、前記第一仕切り板及び前記ティッシュ箱用仕切り板を前記前後壁面部と平行な取り付け姿勢で前記収納ケース本体の内部の前後方向の所定位置に取り付けた収納ケースであり、
前記小物雑貨前方収納部の内部を横幅方向と直交する仕切り面をもつ一つ又は複数の第二仕切り板で隔てることによって該小物雑貨前方収納部の内部を横幅方向に区分けされた複数の小口収納部に構成した収納ケースにおいて、前記第二仕切り板の両方の側縁部に縁取り面ファスナーを取り付け、前記前壁面部と第一仕切り板の対向面に横幅方向に延ばした受け面ファスナーをそれぞれ取り付け、この対向する受け面ファスナーの横幅方向の自由位置に前記第二仕切り板の縁取り面ファスナーを着脱自在に固着させることによって、前記第二仕切り板の仕切り面を前記両側壁面部と平行な取り付け姿勢で前記小物雑貨前方収納部内の横幅方向の自由位置に取り付け可能とし、前記第二仕切り板で隔てられた複数の前記小口収納部の個々の横幅方向の長さ幅を調節自在としたことを特徴とするティッシュ箱及び小物雑貨類の収納ケース。
【請求項３】
前記両側壁面部の対向面に取り付けた前記受け面ファスナーは前後方向に延ばした構成とし、前記第一仕切り板から分離した独立の部材とした前記第二仕切り板の横幅長さの変更に対処できるように前記第一仕切り板の縁取り面ファスナーを介した前記受け面ファスナーへの前記第一仕切り板の取付け位置を前後方向に調節自在とした請求項１又は２に記載のティッシュ箱及び小物雑貨類の収納ケース。
【請求項４】
前記両側壁面部の対向面に取り付けた前記受け面ファスナーは前後方向に延ばした構成とし、前記ティッシュ箱収納部内に収納される前記ティッシュ箱の厚さ幅の変更に対処できるように前記ティッシュ箱用仕切り板の縁取り面ファスナーを介した前記受け面ファスナーへの前記ティッシュ箱用仕切り板の取付け位置を前後方向に調節自在とした請求項１又は２に記載のティッシュ箱及び小物雑貨類の収納ケース。
【請求項５】
前記収納ケース本体が、長方形の前記底面部と、この底面部の一方の長辺に対応する前記前壁面部と、前記底面部の他方の長辺に対応する前記後壁面部と、前記底面部の両方の短辺に対応する前記両側壁面部とを備え、前記底面部が、対角線で分離された二つの柔らかな素材の底面部分の分離辺が該分離辺の近傍に設けた雄雌の面ファスナー又は該分離辺に沿って設けたスライドファスナーによって開閉自在とされた外側底面部と、この外側底面部の上に取り外し自在に載置される方形の硬めの底板とで構成され、前記前壁面部と前記両側壁面部が、硬めの前記前壁面部と、この前壁面部に隣接する硬めの前記両側壁面部の境目辺を折り目として折り畳み自在に連接し、前記後壁面部が、左右方向の中間部を上方に凹ませた湾曲縁部をもち該湾曲縁部が柔らかな素材で縁取り形成された硬めの上方後壁面部材と、左右方向の中間部を下方に凹ませた湾曲縁部をもち該湾曲縁部が柔らかな素材で縁取り形成された柔らかな素材の下方後壁面部材とで構成され、隣接する硬めの前記両側壁面部と硬めの前記上方後壁面部材の境目辺を折り目として折り畳み自在に連接し、前記上方後壁面部材と前記下方後壁面部材の前記湾曲縁部が上下方向の中心部において横長の開口部を残して左右方向の二点で互いに交わるように前記下方後壁面部材の外側に前記上方後壁面部材を部分的に重ねて取り付け、この横長の開口部を前記後壁面部の前記横長のティッシュ取り出し口としたことを特徴とする請求項１に記載のティッシュ箱及び小物雑貨類の収納ケース。
【請求項６】
前記収納ケース本体が、長方形の前記底面部と、この底面部の一方の短辺に対応する前記前壁面部と、前記底面部の他方の短辺に対応する前記後壁面部と、前記底面部の両方の長辺に対応する前記両側壁面部とを備え、前記底面部が、対角線で分離された二つの柔らかな素材の底面部分の分離辺が該分離辺の近傍に設けた雄雌の面ファスナー又は該分離辺に沿って設けたスライドファスナーによって開閉自在とされた外側底面部と、この外側底面部の上に取り外し自在に載置される方形の硬めの底板とで構成され、前記前壁面部と前記両側壁面部が、硬めの前記前壁面部と、この前壁面部に隣接する硬めの前記両側壁面部の境目辺を折り目として折り畳み自在に連接し、前記後壁面部が、上下方向の中間部を左右方向に凹ませた左右対称の柔らかな素材で縁取り形成された湾曲縁部をもつ一対の柔らかな素材の後壁面部材で構成され、一対の柔らかな素材の前記後壁面部材の前記湾曲縁部が左右方向の中心部において縦長の開口部を残して上下方向の二点で互いに交わるように部分的に重ねて取り付け、この縦長の開口部を前記後壁面部の前記縦長のティッシュ取り出し口としたことを特徴とする請求項２に記載のティッシュ箱及び小物雑貨類の収納ケース。
【請求項７】
前記小物雑貨後方収納部の内部を前後に隔てる後方収納部分割用仕切り板によって該小物雑貨後方収納部の内部を前後に区分けされた収納部に構成し、前記後方収納部分割用仕切り板の両方の側縁部に縁取り面ファスナーを取り付け、前記両側壁面部の対向面に取り付けた前記受け面ファスナーを前後方向に延ばした構成とし、前記後方収納部分割用仕切り板の縁取り面ファスナーを介した前記受け面ファスナーへの前記後方収納部分割用仕切り板の取付け位置を前記小物雑貨後方収納部内において前後方向に調節自在とした請求項１又は２に記載のティッシュ箱及び小物雑貨類の収納ケース。
【請求項８】
前記ティッシュ箱用仕切り板の上端部に前記ティッシュ箱収納部に収納されるティッシュ箱の上面を開閉可能に覆うことができる覆い面部が開閉用折り目を介して折り畳み自在に連接され、この覆い面部の先端部に前記開閉用折り目と平行な差込み用折り目を介して複数の折れ片が折り畳み自在に連接され、先端側の前記折れ片又はこの先端側の折れ片を含む後続の折れ片を差込み片とした請求項１又は２に記載のティッシュ箱及び小物雑貨類の収納ケース。
【請求項９】
前記収納ケース本体の前記前壁面部及び前記両側壁面部の外面に上方が開口された収納ポケットをそれぞれ取り付けた請求項１又は２に記載のティッシュ箱及び小物雑貨類の収納ケース。
【考案の詳細な説明】
【技術分野】
【０００１】
本考案は、ティッシュ箱の収納部と、リモコン、眼鏡、筆記具などの小物雑貨類の収納部を備えた収納ケースであり、主にテーブル面や床面に置いて使用するのに便利な収納ケースに関する。
【背景技術】
【０００２】
本考案者は、ティッシュ箱と、リモコン、眼鏡、筆記具などの小物雑貨類を一緒に効率よくコンパクトに収納でき、主にテーブル面や床面に置いて使用するのに便利な収納ケースを考案し、すでに特許文献１としてティッシュ箱を横置き姿勢に収容できるティッシュ箱収納部をもつ収納ケースを、特許文献２としてティッシュ箱を縦置き姿勢に収容できるティッシュ箱収納部をもつ収納ケースを実用新案として登録済みである。
【０００３】
特許文献１の収納ケースは、直方体形状のティッシュ箱を横置き姿勢で収納するティッシュ箱収納部と小物雑貨収納部をもち、この小物雑貨収納部が面ファスナーで着脱自在に取り付けられた仕切り板によって前後の収納部に区分けされ、前後に区分けされた小物雑貨収納部のうち前方の収納部（外側の収納部）の内部を前記仕切り板の前面から略Ｔ字状に連接された従属仕切り板によって横幅方向に区分けされた複数の小口収納部に隔てたものである。前記従属仕切り板は該従属仕切り板の自由端側の側縁部に取付けた縁取り面ファスナーと前壁面部の対向位置に取付けた上下方向に延ばした帯状の受け面ファスナーとで固定される。
【０００４】
特許文献２の収納ケースは、直方体形状のティッシュ箱を縦置き姿勢で収納するティッシュ箱収納部と小物雑貨収納部をもち、この小物雑貨収納部を複数の仕切り板によって前後方向の複数の収納部に区分けしたものである。
【０００５】
しかし、特許文献１の収納ケースは、小物雑貨収納部の前後の収納部のうち使用頻度が比較的高い前方の収納部（外側の収納部）の内部を前記仕切り板の前面から略Ｔ字状に連接された従属仕切り板によって横幅方向に区分けされた複数の小口収納部に隔てたものであり、この従属仕切り板の前記仕切り板への取り付け位置は固定されていて、利用者はこの従属仕切り板の取り付け位置を横幅方向の自由位置に変更できないため、個々の小口収納部の横幅方向の長さ幅を収納されるいろいろな小物雑貨に適する長さ幅となるよう自由に変更できないものであった。このため、リモコン、眼鏡、筆記具などのいろいろな小物雑貨類を使いやすく且つコンパクトに収納できないものであった。
【０００６】
しかも、特許文献１の収納ケースでは、前記従属仕切り板で横幅方向に固定的に区分けされた小口収納部の前後方向（奥行方向）の長さ幅を変更したい場合、この従属仕切り板と、この従属仕切り板が略Ｔ字状に連接された仕切り板を一体として取り替えなければならない、問題があった。
【先行技術文献】
【特許文献】
【０００７】
【特許文献１】実用新案登録第３１６３６３２号公報
【特許文献２】実用新案登録第３２２３８６０号公報
【考案の概要】
【考案が解決しようとする課題】
【０００８】
本考案は、ティッシュ箱収納部と小物雑貨収納部を備えた収納ケースであり、ティッシュ箱収納部内に収納したティッシュ箱からティッシュペーパーを一枚ずつ取り出しできると共に、小物雑貨収納部内にリモコン、眼鏡、筆記具などの小物雑貨類を効率よくコンパクトに収納でき、出し入れも容易な収納ケースである。特に、本考案は、この小物雑貨収納部の前後の収納部のうち使用頻度が比較的高い前方の収納部（外側の収納部）の内部を横幅方向に区分け形成された複数の小口収納部とした収納ケースにおいて、特に、収納されるいろいろな小物雑貨に適するように、利用者が個々の小口収納部の横幅方向の長さ幅を自由に変更できる収納ケースを提供しようとするものである。
【０００９】
また、本考案は、個々の小口収納部の横幅方向の長さ幅を自由に変更できると共に、この小口収納部の前後方向の幅すなわち奥行幅も容易に変更しやすい収納ケースを提供しようとするものである。
【課題を解決するための手段】
【００１０】
上記の課題を解決するため、本考案（請求項１の考案）は、方形の底面部と、前壁面部と、後壁面部と、両側壁面部から成る上方が開口された収納ケース本体の内部を前後に隔てるティッシュ箱用仕切り板によって、該収納ケース本体の内部の前記後壁面部の側に直方体形状のティッシュ箱を該ティッシュ箱のティッシュ取り出し口が横向きにされた横置き姿勢に収容できるティッシュ箱収納部と、該収納ケース本体の内部の前記前壁面部の側に小物雑貨収納部を構成し、この小物雑貨収納部の内部を前後に隔てる第一仕切り板によって該小物雑貨収納部の内部を小物雑貨前方収納部と小物雑貨後方収納部に構成し、前記ティッシュ箱収納部にティッシュ取り出し口が横向きにされた横置き姿勢で収納されるティッシュ箱の横長のティッシュ取り出し口に対応する前記後壁面部の位置に横長のティッシュ取り出し口を形成し、前記ティッシュ箱収納部にティッシュ箱のティッシュ取り出し口を前記後壁面部に向けた横置き姿勢で収納したティッシュ箱のティッシュ取り出し口を介して前記後壁面部に形成されたティッシュ取り出し口からティッシュを取り出し可能にした収納ケースであって、前記第一仕切り板の両方の側縁部と前記ティッシュ箱用仕切り板の両方の側縁部に縁取り面ファスナーをそれぞれ取り付け、前記両側壁面部の対向面に受け面ファスナーを取り付け、この対向する受け面ファスナーの前後方向の所定位置に前記第一仕切り板の縁取り面ファスナー及び前記ティッシュ箱用仕切り板の縁取り面ファスナーを着脱自在に固着させることによって、前記第一仕切り板及び前記ティッシュ箱用仕切り板を前記前後壁面部と平行な取り付け姿勢で前記収納ケース本体の内部の前後方向の所定位置に取り付けた収納ケースであり、前記小物雑貨前方収納部の内部を横幅方向と直交する仕切り面をもつ一つ又は複数の第二仕切り板で隔てることによって該小物雑貨前方収納部の内部を横幅方向に区分けされた複数の小口収納部に構成した収納ケースにおいて、前記第二仕切り板の両方の側縁部に縁取り面ファスナーを取り付け、前記前壁面部と第一仕切り板の対向面に横幅方向に延ばした受け面ファスナーをそれぞれ取り付け、この対向する受け面ファスナーの横幅方向の自由位置に前記第二仕切り板の縁取り面ファスナーを着脱自在に固着させることによって、前記第二仕切り板の仕切り面を前記両側壁面部と平行な取り付け姿勢で前記小物雑貨前方収納部内の横幅方向の自由位置に取り付け可能とし、前記第二仕切り板で隔てられた複数の前記小口収納部の個々の横幅方向の長さ幅を調節自在としたことを特徴とするティッシュ箱及び小物雑貨類の収納ケースを提供する。
【００１１】
本考案（請求項１の考案）によれば、前記第二仕切り板を前記小物雑貨前方収納部内の横幅方向の自由位置に取り付け可能としたことにより、この第二仕切り板によって区分け形成される複数の小口収納部の横幅方向の長さ幅を利用者が小口収納部ごと自由に変更できる。これによって、小物雑貨収納部の前後の収納部のうち使用頻度が比較的高い前方の収納部（前記小物雑貨前方収納部）の個々の小口収納部の横幅方向の長さ幅を、利用者が収納する小物雑貨に適した長さ幅に自由に変更して使用できる。
【００１２】
また、上記の課題を解決するため、本考案（請求項２の考案）は、方形の底面部と、前壁面部と、この前壁面部より高さが高い後壁面部と、両側壁面部から成る上方が開口された収納ケース本体の内部を前後に隔てるティッシュ箱用仕切り板によって、該収納ケース本体の内部の前記後壁面部の側に直方体形状のティッシュ箱を該ティッシュ箱のティッシュ取り出し口が横向きにされた縦置き姿勢に収容できるティッシュ箱収納部と、該収納ケース本体の内部の前記前壁面部の側に小物雑貨収納部を構成し、この小物雑貨収納部の内部を前後に隔てる第一仕切り板によって該小物雑貨収納部の内部を小物雑貨前方収納部と小物雑貨後方収納部に構成し、前記ティッシュ箱収納部にティッシュ取り出し口が横向きにされた縦置き姿勢で収納されるティッシュ箱の縦長のティッシュ取り出し口に対応する前記後壁面部の位置に縦長のティッシュ取り出し口を形成し、前記ティッシュ箱収納部にティッシュ箱のティッシュ取り出し口を前記後壁面部に向けた縦置き姿勢で収納したティッシュ箱のティッシュ取り出し口を介して前記後壁面部に形成されたティッシュ取り出し口からティッシュを取り出し可能にした収納ケースであって、前記第一仕切り板の両方の側縁部と前記ティッシュ箱用仕切り板の両方の側縁部に縁取り面ファスナーをそれぞれ取り付け、前記両側壁面部の対向面に受け面ファスナーを取り付け、この対向する受け面ファスナーの前後方向の所定位置に前記第一仕切り板の縁取り面ファスナー及び前記ティッシュ箱用仕切り板の縁取り面ファスナーを着脱自在に固着させることによって、前記第一仕切り板及び前記ティッシュ箱用仕切り板を前記前後壁面部と平行な取り付け姿勢で前記収納ケース本体の内部の前後方向の所定位置に取り付けた収納ケースであり、前記小物雑貨前方収納部の内部を横幅方向と直交する仕切り面をもつ一つ又は複数の第二仕切り板で隔てることによって該小物雑貨前方収納部の内部を横幅方向に区分けされた複数の小口収納部に構成した収納ケースにおいて、前記第二仕切り板の両方の側縁部に縁取り面ファスナーを取り付け、前記前壁面部と第一仕切り板の対向面に横幅方向に延ばした受け面ファスナーをそれぞれ取り付け、この対向する受け面ファスナーの横幅方向の自由位置に前記第二仕切り板の縁取り面ファスナーを着脱自在に固着させることによって、前記第二仕切り板の仕切り面を前記両側壁面部と平行な取り付け姿勢で前記小物雑貨前方収納部内の横幅方向の自由位置に取り付け可能とし、前記第二仕切り板で隔てられた複数の前記小口収納部の個々の横幅方向の長さ幅を調節自在としたことを特徴とするティッシュ箱及び小物雑貨類の収納ケースを提供する。
【００１３】
本考案（請求項２の考案）も、請求項１の考案と同様に、前記第二仕切り板を前記小物雑貨前方収納部内の横幅方向の自由位置に取り付け可能としたことにより、この第二仕切り板によって区分け形成される複数の小口収納部の横幅方向の長さ幅を小口収納部ごと自由に変更できる。これによって、小物雑貨収納部の前後の収納部のうち使用頻度が比較的高い前方の収納部（前記小物雑貨前方収納部）の個々の小口収納部の横幅方向の長さ幅を、利用者が収納する小物雑貨に適した長さ幅に自由に変更して使用できる。
【００１４】
また、上記の課題を解決するため、本考案（請求項３の考案）は、請求項１又は２に記載の考案において、前記両側壁面部の対向面に取り付けた前記受け面ファスナーは前後方向に延ばした構成とし、前記第一仕切り板から分離した独立の部材とした前記第二仕切り板の横幅長さの変更に対処できるように前記第一仕切り板の縁取り面ファスナーを介した前記受け面ファスナーへの前記第一仕切り板の取付け位置を前後方向に調節自在としたティッシュ箱及び小物雑貨類の収納ケースを提供する。
【００１５】
本考案（請求項３の考案）によれば、前記第二仕切り板は前記第一仕切り板から分離した独立の部材としたため、この第二仕切り板を横幅長さが異なるものに変更することは比較的容易である。このため、この第二仕切り板の横幅長さの変更に対処できるように前記第一仕切り板の縁取り面ファスナーを介した前記受け面ファスナーへの取付け位置を前後方向に調節自在とし、第一仕切り板によって隔てられた前記小物雑貨収納部の内部の前記小物雑貨前方収納部と前記小物雑貨後方収納部の前後方向の幅を相対的に変更できるようにした。これによって、本考案（請求項３の考案）によれば、個々の小口収納部の横幅方向の長さ幅を自由に変更できると共に、第二仕切り板を横幅長さが異なるものに変更すれば、小口収納部の前後方向の幅すなわち奥行幅も容易に変更できる。
【００１６】
また、本考案（請求項４の考案）は、請求項１又は２に記載の考案において、前記両側壁面部の対向面に取り付けた前記受け面ファスナーは前後方向に延ばした構成とし、前記ティッシュ箱収納部内に収納される前記ティッシュ箱の厚さ幅の変更に対処できるように前記ティッシュ箱用仕切り板の縁取り面ファスナーを介した前記受け面ファスナーへの前記ティッシュ箱用仕切り板の取付け位置を前後方向に調節自在としたティッシュ箱及び小物雑貨類の収納ケースを提供する。本考案（請求項４の考案）によれば、前記ティッシュ箱収納部内に収納される前記ティッシュ箱の厚さ幅の変更に容易に対処できる。
【００１７】
また、本考案（請求項５の考案）は、請求項１に記載の考案において、前記収納ケース本体が、長方形の前記底面部と、この底面部の一方の長辺に対応する前記前壁面部と、前記底面部の他方の長辺に対応する前記後壁面部と、前記底面部の両方の短辺に対応する前記両側壁面部とを備え、前記底面部が、対角線で分離された二つの柔らかな素材の底面部分の分離辺が該分離辺の近傍に設けた雄雌の面ファスナー又は該分離辺に沿って設けたスライドファスナーによって開閉自在とされた外側底面部と、この外側底面部の上に取り外し自在に載置される方形の硬めの底板とで構成され、前記前壁面部と前記両側壁面部が、硬めの前記前壁面部と、この前壁面部に隣接する硬めの前記両側壁面部の境目辺を折り目として折り畳み自在に連接し、前記後壁面部が、左右方向の中間部を上方に凹ませた湾曲縁部をもち該湾曲縁部が柔らかな素材で縁取り形成された硬めの上方後壁面部材と、左右方向の中間部を下方に凹ませた湾曲縁部をもち該湾曲縁部が柔らかな素材で縁取り形成された柔らかな素材の下方後壁面部材とで構成され、隣接する硬めの前記両側壁面部と硬めの前記上方後壁面部材の境目辺を折り目として折り畳み自在に連接し、前記上方後壁面部材と前記下方後壁面部材の前記湾曲縁部が上下方向の中心部において横長の開口部を残して左右方向の二点で互いに交わるように前記下方後壁面部材の外側に前記上方後壁面部材を部分的に重ねて取り付け、この横長の開口部を前記後壁面部の前記横長のティッシュ取り出し口としたことを特徴とするティッシュ箱及び小物雑貨類の収納ケースを提供する。
【００１８】
本考案（請求項５の考案）は、前記底板を取り外し、前記外側底面部の雄雌の面ファスナーを外して、又は該分離辺に沿って設けたスライドファスナーを開けて、二つの底面部分の分離辺を開状態にすれば、収納ケース本体の硬めの前記前壁面部、硬めの前記両側壁面部、及び前記後壁面部の硬めの上方後壁面部材が互いに隣接する各壁面部の境目辺を折り目として扁平形態に折り畳み可能な構造にした。したがって、本考案（請求項５の考案）によれば、前記収納ケース本体から前記ティッシュ箱用仕切り板、前記第一仕切り板、及び前記第二仕切り板を取り外した収納ケースの全体をコンパクトな扁平形態に折り畳むことができる。また、扁平形態に折り畳まれた状態から収納ケースに容易に組み立てることができる。
【００１９】
また、本考案（請求項６の考案）は、請求項２に記載の考案において、前記収納ケース本体が、長方形の前記底面部と、この底面部の一方の短辺に対応する前記前壁面部と、前記底面部の他方の短辺に対応する前記後壁面部と、前記底面部の両方の長辺に対応する前記両側壁面部とを備え、前記底面部が、対角線で分離された二つの柔らかな素材の底面部分の分離辺が該分離辺の近傍に設けた雄雌の面ファスナー又は該分離辺に沿って設けたスライドファスナーによって開閉自在とされた外側底面部と、この外側底面部の上に取り外し自在に載置される方形の硬めの底板とで構成され、前記前壁面部と前記両側壁面部が、硬めの前記前壁面部と、この前壁面部に隣接する硬めの前記両側壁面部の境目辺を折り目として折り畳み自在に連接し、前記後壁面部が、上下方向の中間部を左右方向に凹ませた左右対称の柔らかな素材で縁取り形成された湾曲縁部をもつ一対の柔らかな素材の後壁面部材で構成され、一対の柔らかな素材の前記後壁面部材の前記湾曲縁部が左右方向の中心部において縦長の開口部を残して上下方向の二点で互いに交わるように部分的に重ねて取り付け、この縦長の開口部を前記後壁面部の前記縦長のティッシュ取り出し口としたことを特徴とするティッシュ箱及び小物雑貨類の収納ケースを提供する。
【００２０】
本考案（請求項６の考案）も、請求項５の考案と同様に、前記底板を取り外し、前記外側底面部の雄雌の面ファスナーを外して、又は該分離辺に沿って設けたスライドファスナーを開けて、二つの底面部分の分離辺を開状態にすれば、収納ケース本体の硬めの前記前壁面部と硬めの前記両側壁面部が互いに隣接する各壁面部の境目辺を折り目として扁平形態に折り畳み可能な構造にした。したがって、本考案（請求項６の考案）によれば、前記収納ケース本体から前記ティッシュ箱用仕切り板、前記第一仕切り板、及び前記第二仕切り板を取り外した収納ケースの全体をコンパクトな扁平形態に折り畳むことができる。また、扁平形態に折り畳まれた状態から収納ケースに容易に組み立てることができる。
【００２１】
また、本考案（請求項７の考案）は、請求項１又は２に記載の考案において、前記小物雑貨後方収納部の内部を前後に隔てる後方収納部分割用仕切り板によって該小物雑貨後方収納部の内部を前後に区分けされた収納部に構成し、前記後方収納部分割用仕切り板の両方の側縁部に縁取り面ファスナーを取り付け、前記両側壁面部の対向面に取り付けた前記受け面ファスナーを前後方向に延ばした構成とし、前記後方収納部分割用仕切り板の縁取り面ファスナーを介した前記受け面ファスナーへの前記後方収納部分割用仕切り板の取付け位置を前記小物雑貨後方収納部内において前後方向に調節自在としたティッシュ箱及び小物雑貨類の収納ケースを提供する。
【００２２】
また、本考案（請求項８の考案）は、請求項１又は２に記載の考案において、前記ティッシュ箱用仕切り板の上端部に前記ティッシュ箱収納部に収納されるティッシュ箱の上面を開閉可能に覆うことができる覆い面部が開閉用折り目を介して折り畳み自在に連接され、この覆い面部の先端部に前記開閉用折り目と平行な差込み用折り目を介して複数の折れ片が折り畳み自在に連接され、先端側の前記折れ片又はこの先端側の折れ片を含む後続の折れ片を差込み片としたティッシュ箱及び小物雑貨類の収納ケースを提供する。本考案（請求項８の考案）によれば、前記ティッシュ箱収納部に収納されるティッシュ箱の上面を覆い面部で開閉可能に覆うことができると共に、前記ティッシュ箱収納部内に収納される前記ティッシュ箱の厚さ幅の変更にも対処できる。
【００２３】
また、本考案（請求項９の考案）は、請求項１又は２に記載の考案において、前記収納ケース本体の前記前壁面部及び前記両側壁面部の外面に上方が開口された収納ポケットをそれぞれ取り付けたティッシュ箱及び小物雑貨類の収納ケースを提供する。
【考案の効果】
【００２４】
本考案（請求項１、２の考案）は、ティッシュ箱収納部内に収納したティッシュ箱からティッシュペーパーを一枚ずつ取り出しできると共に、小物雑貨収納部内にリモコン、眼鏡、筆記具などの小物雑貨類を効率よくコンパクトに収納でき、出し入れも容易な収納ケースを提供できる。本考案（請求項１、２の考案）によれば、特に、前記第二仕切り板を前記小物雑貨前方収納部内の横幅方向の自由位置に取り付け可能としたことにより、この第二仕切り板によって区分け形成される複数の小口収納部の横幅方向の長さ幅を利用者が小口収納部ごと自由に変更できる。これによって、小物雑貨収納部の前後の収納部のうち使用頻度が比較的高い前方の収納部（前記小物雑貨前方収納部）の個々の小口収納部の横幅方向の長さ幅を、利用者が収納する小物雑貨に適した長さ幅に自由に変更して使用できるため、リモコン、眼鏡、筆記具などの小物雑貨類を更に効率よくコンパクトに収納できる。
【００２５】
また、本考案（請求項３の考案）によれば、前記第二仕切り板は前記第一仕切り板から分離した独立の部材としたため、この第二仕切り板を横幅長さが異なるものに変更することは比較的容易である。このため、この第二仕切り板の横幅長さの変更に対処できるように前記第一仕切り板の縁取り面ファスナーを介した前記受け面ファスナーへの取付け位置を前後方向に調節自在とし、第一仕切り板によって隔てられた前記小物雑貨収納部の内部の前記小物雑貨前方収納部と前記小物雑貨後方収納部の前後方向の幅を相対的に変更できるようにした。これによって、本考案（請求項３の考案）によれば、個々の小口収納部の横幅方向の長さ幅を自由に変更できると共に、第二仕切り板を横幅長さが異なるものに変更すれば、小口収納部の前後方向の幅すなわち奥行幅も容易に変更でき、リモコン、眼鏡、筆記具などの小物雑貨類を更に効率よくコンパクトに収納できる。
【図面の簡単な説明】
【００２６】
【図１】本考案の収納ケースの斜視図である。
【図２】図１の収納ケースの分解斜視図である。
【図３】本考案の他の実施形態の収納ケースの斜視図である。
【図４】図３の収納ケースの分解斜視図である。
【考案を実施するための形態】
【００２７】
本考案を図１、２に示した第一の実施形態（便宜的に以下「横型」と言う。）に基づき説明する。この実施形態の収納ケース１は、長方形の底面部３と、この長方形の底面部３の一方の長辺に対応する前壁面部４と、長方形の底面部３の他方の長辺に対応する後壁面部５と、長方形の底面部３の両方の短辺に対応する両側壁面部６，６から成る上方が開口された収納ケース本体２の内部を前後に隔てるティッシュ箱用仕切り板７によって、該収納ケース本体２の内部の前記後壁面部５の側に直方体形状のティッシュ箱３０を該ティッシュ箱のティッシュ取り出し口３１が横向きにされた横置き姿勢に収容できるティッシュ箱収納部８と、該収納ケース本体２の内部の前記前壁面部４の側に小物雑貨収納部９を構成し、この小物雑貨収納部９の内部を前後に隔てる第一仕切り板１０によって該小物雑貨収納部９の内部を小物雑貨前方収納部１１と小物雑貨後方収納部１２に構成し、前記ティッシュ箱収納部８にティッシュ取り出し口３１が横向きにされた横置き姿勢で収納されるティッシュ箱３０の横長のティッシュ取り出し口３１に対応する前記後壁面部５の位置に横長のティッシュ取り出し口１３を形成し、前記ティッシュ箱収納部８にティッシュ箱３０のティッシュ取り出し口３１を前記後壁面部５に向けた横置き姿勢で収納したティッシュ箱３０のティッシュ取り出し口３１を介して前記後壁面部５に形成されたティッシュ取り出し口１３からティッシュを取り出し可能にした収納ケースである。この収納ケース１は、前記第一仕切り板１０の両方の側縁部に縁取り面ファスナー１０ａ，１０ａ、前記ティッシュ箱用仕切り板７の両方の側縁部に縁取り面ファスナー７ａ，７ａをそれぞれ取り付け、前記両側壁面部６，６の対向面に前後方向に延ばした帯状の受け面ファスナー１４を上下に並べて取り付け、この対向する受け面ファスナー１４の前後方向の所定位置に前記第一仕切り板１０の縁取り面ファスナー１０ａ，１０ａ及び前記ティッシュ箱用仕切り板７の縁取り面ファスナー７ａ，７ａを着脱自在に固着させることによって、前記第一仕切り板１０及び前記ティッシュ箱用仕切り板７を前記前後壁面部４，５と平行な取り付け姿勢で前記収納ケース本体２の内部の前後方向の所定位置に取り付けてある。
【００２８】
この第一の実施形態（横型）の収納ケース１の特徴は、前記小物雑貨前方収納部１１の内部を横幅方向（Ｗ）と直交する仕切り面をもつ複数（図面では三つ）の第二仕切り板１５で隔てることによって該小物雑貨前方収納部１１の内部を横幅方向に区分けされた複数（図面では四つ）の小口収納部１６に構成した収納ケースにおいて、前記第二仕切り板１５の両方の側縁部に縁取り面ファスナー１５ａ，１５ａを取り付け、前記前壁面部４と第一仕切り板１０の対向面に横幅方向（Ｗ）に延ばした帯状の受け面ファスナー１７，１７を上下に並べてそれぞれ取付け、この対向する受け面ファスナー１７，１７の横幅方向（Ｗ）の自由位置に前記第二仕切り板１５の縁取り面ファスナー１５ａ，１５ａを着脱自在に固着させることによって、前記第二仕切り板１５の仕切り面を前記両側壁面部６，６と平行な取り付け姿勢で前記小物雑貨前方収納部１１内の横幅方向（Ｗ）の自由位置に取り付け可能とし、前記第二仕切り板１５で隔てられた複数（四つ）の前記小口収納部１６の個々の横幅方向（Ｗ）の長さ幅を調節自在としたことである。これによって、収納される小物雑貨に適するように、個々の小口収納部１６の横幅方向（Ｗ）の長さ幅を変更できるようにしてある。
【００２９】
この第一の実施形態（横型）の収納ケース１は、前記収納ケース本体２が、前記底面部３、前記前壁面部４、前記後壁面部５、前記両側壁面部６，６から成り、前記底面部３が、対角線で分離された二つの柔らかな素材の底面部分の分離辺３ａ，３ａが該分離辺の近傍に設けた雄雌の面ファスナー３ｂ（この雄雌の面ファスナー３ｂに代え、分離辺３ａ，３ａに沿って設けたスライドファスナーで開閉自在としても良い。）によって開閉自在とされた外側底面部３Ａと、この外側底面部３Ａの上に取り外し自在に載置される方形の硬めの底板３Ｂとで構成され、前記前壁面部４と前記両側壁面部６，６が、硬めの前記前壁面部４と、この前壁面部４に隣接する硬めの前記両側壁面部６，６の境目辺を折り目として折り畳み自在に連接し、前記後壁面部５が、左右方向の中間部を上方に凹ませた湾曲縁部５ａをもち該湾曲縁部５ａが柔らかな素材で縁取り形成された硬めの上方後壁面部材５Ａと、左右方向の中間部を下方に凹ませた湾曲縁部５ｂをもち該湾曲縁部５ｂが柔らかな素材で縁取り形成された柔らかな素材の下方後壁面部材５Ｂとで構成され、隣接する硬めの前記両側壁面部６，６と硬めの前記上方後壁面部材５Ａの境目辺を折り目として折り畳み自在に連接し、前記上方後壁面部材５Ａと前記下方後壁面部材５Ｂの前記湾曲縁部５ａ，５ｂが上下方向の中心部において横長の開口部を残して左右方向の二点で互いに交わるように前記下方後壁面部材５Ｂの外側に前記上方後壁面部材５Ａを部分的に重ねて取り付け、この横長の開口部を前記後壁面部５の前記横長のティッシュ取り出し口１３としてある。
【００３０】
この第一の実施形態（横型）の収納ケース１は、前記底板３Ｂを取り外し、前記外側底面部３Ａの雄雌の面ファスナー３ｂを外して、二つの底面部分の分離辺３ａ，３ａを開状態にすれば、収納ケース本体２の硬めの前記前壁面部４、硬めの前記両側壁面部６，６、及び前記後壁面部５の硬めの上方後壁面部材５Ａが互いに隣接する各壁面部の境目辺を折り目として扁平形態に折り畳み可能な構造にてある。したがって、前記収納ケース本体２から前記ティッシュ箱用仕切り板７、前記第一仕切り板１０、及び前記第二仕切り板１５を取り外した収納ケースの全体をコンパクトな扁平形態に折り畳むことができる。また、扁平形態に折り畳まれた状態から収納ケースに容易に組み立てることができる。
【００３１】
次に、本考案を図３、４に示した第二の実施形態（便宜的に以下「縦型」と言う。）に基づき説明する。この第二の実施形態（縦型）の収納ケース１は、直方体形状のティッシュ箱３０を該ティッシュ箱のティッシュ取り出し口３１が横向きにされた縦置き姿勢に収容できるティッシュ箱収納部８をもつものであり、特徴とする構成は、前記した第一の実施形態（横型）の収納ケースと実質的に同じである。
【００３２】
図３、４に示した第二の実施形態（縦型）の収納ケース１は、長方形の底面部３と、この長方形の底面部３の一方の短辺に対応する前壁面部４と、長方形の底面部３の他方の短辺に対応し、前記前壁面部４より高さが高い後壁面部５と、長方形の底面部３の両方の長辺に対応する両側壁面部６，６から成る上方が開口された収納ケース本体２の内部を前後に隔てるティッシュ箱用仕切り板７によって、該収納ケース本体２の内部の前記後壁面部５の側に直方体形状のティッシュ箱３０を該ティッシュ箱のティッシュ取り出し口３１が横向きにされた縦置き姿勢に収容できるティッシュ箱収納部８と、該収納ケース本体２の内部の前記前壁面部４の側に小物雑貨収納部９を構成し、この小物雑貨収納部９の内部を前後に隔てる第一仕切り板１０によって該小物雑貨収納部９の内部を小物雑貨前方収納部１１と小物雑貨後方収納部１２に構成し、前記ティッシュ箱収納部８にティッシュ取り出し口３１が横向きにされた縦置き姿勢で収納されるティッシュ箱３０の縦長のティッシュ取り出し口３１に対応する前記後壁面部５の位置に縦長のティッシュ取り出し口１３を形成し、前記ティッシュ箱収納部８にティッシュ箱３０のティッシュ取り出し口３１を前記後壁面部５に向けた縦置き姿勢で収納したティッシュ箱３０のティッシュ取り出し口３１を介して前記後壁面部５に形成されたティッシュ取り出し口１３からティッシュを取り出し可能にした収納ケースである。この収納ケース１は、前記第一仕切り板１０の両方の側縁部に縁取り面ファスナー１０ａ，１０ａ、前記ティッシュ箱用仕切り板７の両方の側縁部に縁取り面ファスナー７ａ，７ａをそれぞれ取り付け、前記両側壁面部６，６の対向面に前後方向に延ばした帯状の受け面ファスナー１４を上下に並べて取り付け、この対向する受け面ファスナー１４の前後方向の所定位置に前記第一仕切り板１０の縁取り面ファスナー１０ａ，１０ａ及び前記ティッシュ箱用仕切り板７の縁取り面ファスナー７ａ，７ａを着脱自在に固着させることによって、前記第一仕切り板１０及び前記ティッシュ箱用仕切り板７を前記前後壁面部４，５と平行な取り付け姿勢で前記収納ケース本体２の内部の前後方向の所定位置に取り付けてある。
【００３３】
この第二の実施形態（縦型）の収納ケース１においても前記した第一の実施形態（横型）の収納ケース１と同様な特徴を有する。前記小物雑貨前方収納部１１の内部を横幅方向（Ｗ）と直交する仕切り面をもつ複数（図面では二つ）の第二仕切り板１５で隔てることによって該小物雑貨前方収納部１１の内部を横幅方向（Ｗ）に区分けされた複数（図面では三つ）の小口収納部１６に構成した収納ケースにおいて、前記第二仕切り板１５の両方の側縁部に縁取り面ファスナー１５ａ，１５ａを取り付け、前記前壁面部４と第一仕切り板１０の対向面に横幅方向（Ｗ）に延ばした帯状の受け面ファスナー１７，１７を上下に並べてそれぞれ取り付け、この対向する受け面ファスナー１７，１７の横幅方向（Ｗ）の自由位置に前記第二仕切り板１５の縁取り面ファスナー１５ａ，１５ａを着脱自在に固着させることによって、前記第二仕切り板１５の仕切り面を前記両側壁面部６，６と平行な取り付け姿勢で前記小物雑貨前方収納部１１内の横幅方向（Ｗ）の自由位置に取り付け可能とし、前記第二仕切り板１５で隔てられた複数（三つ）の前記小口収納部１６の個々の横幅方向（Ｗ）の長さ幅を調節自在としたことである。これによって、収納される小物雑貨に適するように、個々の小口収納部１６の横幅方向（Ｗ）の長さ幅を変更できるようにしてある。
【００３４】
この第二の実施形態（縦型）の収納ケース１は、前記収納ケース本体２が、前記底面部３、前記前壁面部４、前記後壁面部５、前記両側壁面部６，６から成り、前記底面部３が、対角線で分離された二つの柔らかな素材の底面部分の分離辺３ａ，３ａが該分離辺の近傍に設けた雄雌の面ファスナー３ｂ（この雄雌の面ファスナー３ｂに代え、分離辺３ａ，３ａに沿って設けたスライドファスナーで開閉自在としても良い。）によって開閉自在とされた外側底面部３Ａと、この外側底面部３Ａの上に取り外し自在に載置される方形の硬めの底板３Ｂとで構成され、前記前壁面部４と前記両側壁面部６，６が、硬めの前記前壁面部４と、この前壁面部４に隣接する硬めの前記両側壁面部６，６の境目辺を折り目として折り畳み自在に連接し、前記後壁面部５が、上下方向の中間部を左右方向に凹ませた左右対称の柔らかな素材で縁取り形成された湾曲縁部５ｃをもつ一対の柔らかな素材の後壁面部材５Ｃ，５Ｃで構成され、一対の柔らかな素材の前記後壁面部材５Ｃ，５Ｃの前記湾曲縁部５ｃ，５ｃが左右方向の中心部において縦長の開口部を残して上下方向の二点で互いに交わるように部分的に重ねて取り付け、この縦長の開口部を前記後壁面部５の前記縦長のティッシュ取り出し口１３としてある。
【００３５】
この第二の実施形態（縦型）の収納ケース１も、第一の実施形態（横型）の収納ケース１と同様に、前記底板３Ｂを取り外し、前記外側底面部３Ａの雄雌の面ファスナー３ｂを外して、二つの底面部分の分離辺３ａ，３ａを開状態にすれば、収納ケース本体２の硬めの前記前壁面部４と硬めの前記両側壁面部６，６が互いに隣接する各壁面部の境目辺を折り目として扁平形態に折り畳み可能な構造にしてある。したがって、この収納ケース１も、前記収納ケース本体２から前記ティッシュ箱用仕切り板７、前記第一仕切り板１０、及び前記第二仕切り板１５を取り外した収納ケースの全体をコンパクトな扁平形態に折り畳むことができる。また、扁平形態に折り畳まれた状態から収納ケースに容易に組み立てることができる。
【００３６】
図１、２に示した第一の実施形態（横型）の収納ケース１、及び図３、４に示した第二の実施形態（縦型）の収納ケース１は、前記両側壁面部６，６の対向面に取り付けた前記受け面ファスナー１４を前後方向に延ばした構成とし、前記第一仕切り板１０から分離した独立の部材とした前記第二仕切り板１５の横幅長さ（Ｗ１）の変更に対処できるように前記第一仕切り板１０の縁取り面ファスナー１０ａ，１０ａを介した前記受け面ファスナー１４への前記第一仕切り板１０の取付け位置を前後方向に調節自在としてある。
【００３７】
これら第一の実施形態（横型）、第二の実施形態（縦型）の収納ケース１は、前記第二仕切り板１５が前記第一仕切り板１０から分離した独立の部材としたため、この第二仕切り板１５を横幅長さ（Ｗ１）が異なるものに変更することは比較的容易である。このため、この第二仕切り板１５の横幅長さ（Ｗ１）の変更に対処できるように前記第一仕切り板１０の縁取り面ファスナー１０ａ，１０ａを介した前記受け面ファスナー１４への取付け位置を前後方向に調節自在とし、第一仕切り板１０によって隔てられた前記小物雑貨収納部９の内部の前記小物雑貨前方収納部１１と前記小物雑貨後方収納部１２の前後方向の幅を相対的に変更できるようにしてある。これによって、本考案の収納ケース１によれば、前記したように個々の小口収納部１６の横幅方向（Ｗ）の長さ幅を自由に変更できると共に、第二仕切り板１５を横幅長さ（Ｗ１）が異なるものに変更すれば、小口収納部１６の前後方向の幅すなわち奥行幅も容易に変更できる。
【００３８】
図１、２に示した第一の実施形態（横型）の収納ケース１、及び図３、４に示した第二の実施形態（縦型）の収納ケース１は、前記両側壁面部６，６の対向面に取り付けた前記受け面ファスナー１４を前後方向に延ばした構成とし、前記ティッシュ箱収納部８内に収納される前記ティッシュ箱３０の厚さ幅（Ｔ）の変更に対処できるように前記ティッシュ箱用仕切り板部７の縁取り面ファスナー７ａ，７ａを介した前記受け面ファスナー１４への前記ティッシュ箱用仕切り板部７の取付け位置を前後方向に調節自在としてある。これによって、前記ティッシュ箱収納部８内に収納される前記ティッシュ箱３０の厚さ幅（Ｔ）の変更に容易に対処できる。
【００３９】
図３、４に示した第二の実施形態（縦型）の収納ケース１は、前記小物雑貨後方収納部１２の内部を更に前後に隔てる後方収納部分割用仕切り板１９によって該小物雑貨後方収納部１２の内部を更に前後に区分けされた収納部に構成し、前記後方収納部分割用仕切り板１９の両方の側縁部に縁取り面ファスナー１９ａ，１９ａを取り付け、前記両側壁面部６，６の対向面に取り付けた前記受け面ファスナー１４を前後方向に延ばした構成とし、前記後方収納部分割用仕切り板１９の縁取り面ファスナー１９ａ，１９ａを介した前記受け面ファスナー１４への前記後方収納部分割用仕切り板１９の取付け位置を前記小物雑貨後方収納部１２内において前後方向に調節自在とした。なお、図１、２に示した第一の実施形態（横型）の収納ケース１では、小物雑貨後方収納部１２の内部を仕切り板で更に前後に区分けする構成としてないが、理論的には第二の実施形態（縦型）と同様な構成とするこが可能である。
【００４０】
図１、２に示した第一の実施形態（横型）の収納ケース１、及び図３、４に示した第二の実施形態（縦型）の収納ケース１は、前記ティッシュ箱用仕切り板７の上端部に前記ティッシュ箱収納部８に収納されるティッシュ箱３０の上面を開閉可能に覆うことができる覆い面部２０が開閉用折り目を介して折り畳み自在に連接され、この覆い面部２０の先端部に前記開閉用折り目と平行な差込み用折り目を介して複数の折れ片２１ａ，２１ｂが折り畳み自在に連接され、先端側の前記折れ片２１ａ又はこの先端側の折れ片２１ａを含む後続の折れ片２１ｂを差込み片２１とした。これによって、前記ティッシュ箱収納部８に収納されるティッシュ箱３０の上面を覆い面部２０で開閉可能に覆うことができると共に、前記ティッシュ箱収納部８内に収納される前記ティッシュ箱３０の厚さ幅（Ｔ）の変更にも対処できるようにしてある。なお、前記覆い面部２０の上面に該覆い面部２０の開閉をしやすくするつかみ部２２を取り付けてある。
【００４１】
また、図１、２に示した第一の実施形態（横型）の収納ケース１、及び図３、４に示した第二の実施形態（縦型）の収納ケース１は、前記収納ケース本体２の前記前壁面部４及び前記両側壁面部６，６の外面に上方が開口された収納ポケット２４をそれぞれ取り付け、この収納ポケットにレシートなどを差し込めるようにしてある。
【００４２】
また、図１、２に示した第一の実施形態（横型）の収納ケース１、及び図３、４に示した第二の実施形態（縦型）の収納ケース１は、前記収納ケース本体２の両側壁面部６，６の前後方向の中央部の上端辺を前後壁面部４，５の上端辺の高さより上方に突出させた湾曲辺とし、この湾曲辺の両端部が高低差のある前後壁面部４，５の各上端辺の端部にそれぞれ連なる形状とし、この両側壁面部６，６の前後方向の中央部の上部位置に手提げバンド取付け穴２５をそれぞれ開口形成し、この取付け穴２５に手提げバンド２６の両端部を挿通し装着して、手提げバンド２６を収納ケースに取付けてある。
【００４３】
また、図１、２に示した第一の実施形態（横型）の収納ケース１には、前記前壁面部４の内面の左端に帯材で上下方向を開口した半ループ状のペン差し２７を取り付けてある。
【符号の説明】
【００４４】
１  収納ケース
２  収納ケース本体
３  底面部
３Ａ  外側底面部
３ａ，３ａ  分離辺
３ｂ  雄雌の面ファスナー
３Ｂ  底板
４  前壁面部
５  後壁面部
５Ａ  上方後壁面部材
５ａ  上方後壁面部材の湾曲縁部
５Ｂ  下方後壁面部材
５ｂ  下方後壁面部材の湾曲縁部
５Ｃ  左右対称の後壁面部材
５ｃ  後壁面部材の湾曲縁部
６，６  両側壁面部
７  ティッシュ箱用仕切り板
７ａ，７ａ  ティッシュ箱用仕切り板の縁取り面ファスナー
８  ティッシュ箱収納部
９  小物雑貨収納部
１０  第一仕切り板
１０ａ，１０ａ  第一仕切り板の縁取り面ファスナー
１１  小物雑貨前方収納部
１２  小物雑貨後方収納部
１３  ティッシュ取り出し口
１４  両側壁面部の対向面に取付けた受け面ファスナー
１５  第二仕切り板
１５ａ，１５ａ  第二仕切り板の縁取り面ファスナー
１６  小口収納部
１７  前壁面部と第一仕切り板の対向面に取付けた受け面ファスナー
１９  後方収納部分割用仕切り板
１９ａ，１９ａ  後方収納部分割用仕切り板の縁取り面ファスナー
２０  覆い面部
２１  差込み片
２４  収納ポケット
２５  手提げバンド取付け穴
２６  手提げバンド
３０  ティッシュ箱
３１  ティッシュ箱のティッシュ取り出し口
【図１】
0003232470.tif 000003
【図２】
0003232470.tif 000004
【図３】
0003232470.tif 000005
【図４】
0003232470.tif 000006